(57)【要約】【課題】印刷可能シートに記録された画像が鮮やかな色になる記録光ディスクを提供する。保護カバーシート【解決手段】基板２０と、基板２０の少なくとも片面に設けられた有機又は無機材質よりなる記録層２２と、記録層２２を覆うように記録層２２の上に設けられた記録層２２へのレーザー光を収束する薄層カバー層３０とを設けた記録ディスクであって基板２０の薄層カバー層３０の反対面に薄層カバー層３０とほぼ同じ物理特性を有する画像印刷層１０を設けて成る記録ディスクにおいて、基板２０の画像印刷層側１０に第一反応性感圧インク２０ａを、画像印刷層１０の基板２０側に押圧下で第一反応性感圧インク２０ａと反応して印刷可能となる第二反応性感圧１０ａインクを設けた。【選択図】  図１
2004227715.tif 000002
【特許請求の範囲】
【請求項１】
基板と、該基板の少なくとも片面に設けられた有機又は無機材質よりなる記録層と、該記録層を覆うように該記録層の上に設けられた該記録層へのレーザー光を収束する薄層カバー層と、を設けた記録ディスクであって前記基板の前記薄層カバー層の反対面に該薄層カバー層とほぼ同じ物理特性を有する画像印刷層を設けて成る記録ディスクにおいて、
前記基板の前記画像印刷層側に第一反応性感圧インクを、前記画像印刷層の前記基板側に押圧下で前記第一反応性感圧インクと反応して印刷可能となる第二反応性感圧インクを設けて成ることを特徴とする記録ディスク。
【請求項２】
前記基板には前記第一反応性感圧インクを全面に、前記画像印刷層には前記第二反応性感圧インクを特定部分に設けて成ることを特徴とする請求項１記載の記録ディスク。
【請求項３】
前記薄層カバー層および前記画像印刷層はそれぞれプラスチック薄層シートで構成されていることを特徴とする請求項２記載の記録ディスク。
【発明の詳細な説明】
【０００１】
【発明の属する技術分野】
本発明は、大容量情報記録用ディスクに関するもので、特にＢｌｕ−Ｒａｙ（ブルーレイ）ディスクのような短波長紫外線記録を行うディスクに関する。
【０００２】
【従来の技術】
情報信号が形成された基板上に極薄層透明カバー層を設けて、この透明カバー層側からレーザ光を照射して、情報信号の記録／再生を行うようにした光ディスクが提案されている（特許文献１参照）。この光ディスクでは光ディスク基板を１．２ｍｍ程度の通常の厚さに成形することができるため、ディスク基板を射出成形法により製造する場合においても、凹凸の転写を精度良く行うことが可能となった。一方、記録／再生のためのレーザ光は、極薄層透明カバー層が設けられた側から照射されるため、記録容量の大容量化にも十分に対応することが可能になった。このようにＢｌｕ−Ｒａｙディスクは、大口径アンチ・リフレクション（Ａｎｔｉ−Ｒｅｆｌｅｃｔｉｏｎ）特性を必要とするため、記録面側に極薄層透明カバー層を設けてディスクの特性安定化と使用上の美観を確保することを行っていた。
【０００３】
【特許文献１】
特開２００２−９２９６５号公報。
【０００４】
この場合Ｂｌｕ−Ｒａｙディスクではカバー層は約０．１ｍｍであり、紫外線硬化樹脂をコートした後、硬化処理を行うことが一般的である。Ｂｌｕ−Ｒａｙ記録は種々提案されているが、追記性などがユーザーから期待されている。
追記性を確実にするためには、有機色素系記録材料が用いられることが多い。記録には紫外線レーザー光を用いて行われるが、カバー層硬化に紫外線硬化法を用いることはあまり好ましいことでは無く、薄層プラスチックシート（ポリカーボネイト、ＴＡＣ、ＰＥＴなど）を貼り付けすることで、適正なカバー層厚みが得られ且つ紫外線硬化を行わないので、有機色素系記録材料にダメージを与えることが少なく好ましい方法といえる。
【０００５】
一方、プラスチックシートは強度、厚み精度を得る為に製造工程において引っ張り工程が必要不可欠であり、この結果プラスチックシートには非可逆的な熱膨張収縮特性を有することとなる。この材料をディスク基板に貼り付け一体化した場合、通常環境での保存は特に問題ないが、高温高湿保存や、サーモサイクル保存で熱収縮や吸湿収縮によりカバー層寸法が変化し、貼り付けられた基板に「反り」を与え、チルト量が変化する結果を引き起こす場合がある。
Ｂｌｕ−ＲａｙディスクではＡＲ特性が厳しく（この影響がＣＤやＤＶＤに比べて大きい）、わずかなチルト変化が特性劣化を生じる。
【０００６】
本出願人はこれに対拠するため、記録面側のカバー層と反対側の画像表示層に同じ特性のプラスチックシートを円形に加工して接着することで、バランスを得ることができ、したがって高温高湿の保存下でも安定した特性を得ることが出来ることを見い出した。
しかも、この画像表示層はシート状でのハンドリングが可能であり、画像を印刷した後にディスクに貼り付けたり、ディスクに貼り付けた後に印刷するなど、様々な手法での画像印刷がディスクに対して可能となるため、商品価値を高めることが可能となった。
【０００７】
図４はＢｌｕ−Ｒａｙディスクの構造を説明する図で、（ａ）は平面図、（ｂ）は正面断面図である。
図において、１０は印刷可能シート、２０は基板、２０ａは記録層、３０は保護カバーシート、Ｌ２はレーザビーム（青波長）である。
基板２０は厚さ１．２ｍｍのポリカーボネイトである。
記録面が基板２０のレーザ入射側にあるので、波長が短いレーザ光で記録することから、表面にゴミが付着するのを防止する必要があるため、この保護カバーシート３０が用いられている。この保護カバーシート３０はＰＣ（ポリカーボネイト）、ＴＡＣ、又はＰＥＴ（ポリエチレンテレフタレート）で作られている。
【０００８】
この光ディスクの記録内容がディジタル画像である場合、利用者がこの光ディスクの記録内容を知る方法としては、記録内容を知りたいその都度、この光ディスクを再生装置に入れて見ることになるが、これは面倒な作業であった。
また、この光ディスクを収納するケースに記録内容を印刷することも行われていたが、その場合、光ディスクを常に対応した特定のケースに収納する必要があり、この作業自体面倒な作業であったし、また、光ディスクが常に対応した特定のケースに収納されるとは限らず、光ディスクが別の印刷内容を示すケースに収納されてしまうこともしばしばおきた。したがって内容確認のためには最終的に再生装置を使うこととなった。
【０００９】
また、光ディスクの記録内容を手軽に知るために、光ディスクに紙ラベルを貼って、この上に光ディスク内容を文字で記入することも考えられるが、文字を読んで内容を知ることは面倒で、時間がかかり、また文字を理解できない子供や外国人には使いにくいものであった。
このように光ディスクの内容を利用者が簡単に知ることは、従来から容易なことではなかった。
【００１０】
本出願人が別途発明した光ディスクによれば、保護カバーシートと同じ物理特性を有するシートを基板の反対側に接着することにより、基板が高温下に置かれても反らなくなるようにしている。
そこでこのシートを印刷可能なシートとすることにより、ここに記録内容であるディジタル画像の代表画像を１つ以上必要個印刷すれば、光ディスクの内容を一目で知ることができ、ケースがどのようなケースに収納されても内容が変わるという不便さがなくなる。したがって、このような記録可能シートを光ディスク基板に接着したあとこの上に画像を印刷したり、あるいは記録可能シートに画像を印刷したあとこれを光ディスク基板に接着すれば、光ディスクとその記録内容が常に一致するので便利となり、しかも画像で記録することによって、子供や文字の読めない人にも優しい光ディスクとなる。
【００１１】
【発明が解決しようとする課題】
このような記録可能シートを光ディスク基板に接着した後、この記録可能シートに光ディスク基板に記録されている記録内容および記録済容量をユーザーが筆記具で記入するように用いると便利であった。
ところが記録内容および記録済容量をユーザーが記入する度に筆記具を用いなけらばならないことは、ディスクドライバの近辺にそれを備えて置かなければならず、結構面倒なことであった。また、筆記具が鉛筆やインクである場合、消しゴムやインク消しで後から消去したり改竄される可能性があり、セキュリティの悪さの問題があった。
本発明は、この課題を解決するためになされたもので、記録内容および記録済容量をユーザーが記入する際に特別な筆記具を必要とせず、また一旦記入された情報は後で消去することができない高セキュリティの光ディスクを提供することを目的とする。
【００１２】
【課題を解決するための手段】
上記課題を解決するため、請求項１記載の記録ディスクの発明は、基板と、該基板の少なくとも片面に設けられた有機又は無機材質よりなる記録層と、該記録層を覆うように該記録層の上に設けられた該記録層へのレーザー光を収束する薄層カバー層と、を設けた記録ディスクであって前記基板の前記薄層カバー層の反対面に該薄層カバー層とほぼ同じ物理特性を有する画像印刷層を設けて成る記録ディスクにおいて、前記基板の前記画像印刷層側に第一反応性感圧インクを、前記画像印刷層の前記基板側に押圧下で前記第一反応性感圧インクと反応して印刷可能となる第二反応性感圧インクを設けて成ることを特徴とする。
このような構成によれば、単に画像印刷層を押圧するだけで第一反応性感圧インクと第二反応性感圧インクが反応して書き込みができるので、筆記具を用いて書き込んでもよいが、これらが無くても物差し、クリップ、箸、マッチ棒など画像印刷層を単に押圧できるものであれば何でも良い。極端に言えば爪先でも記入可能である。
そして、第一反応性感圧インクと第二反応性感圧インクが反応して書き込むものであるので、反応を元に戻すことができず、一旦書き込まれた情報は後で消去・改竄することが絶対にできないため、高セキュリティの光ディスクとなる。
【００１３】
請求項２記載の発明は、請求項１記載の記録ディスクにおいて、前記基板には前記第一反応性感圧インクを全面に、前記画像印刷層には前記第二反応性感圧インクを特定部分に設けて成ることを特徴とする。
このような構成によれば、画像印刷層をユーザーが光ディスクに張り付ける際に、位置合わせを気にしなくてもよいので、利用勝手が向上する。
【００１４】
請求項３記載の発明は、請求項２記載の記録ディスクにおいて、前記薄層カバー層および前記画像印刷層がそれぞれプラスチック薄層シートで構成されていることを特徴とする。
このような構成によれば、プラスチック薄層シートをユーザーが光ディスクに貼り付けるので、貼り合わせ作業が簡単になり、利用勝手が向上する。
【００１５】
【発明の実施の形態】
以下、本発明の実施の形態について図面を用いて詳細に説明する。
図１は本発明に係る光ディスクの分解斜視図である。
図において、上から１０は印刷可能シートで、その一部に電子供与性無色染料溶液を芯物質として内包するマイクロカプセル入り感圧インク層１０ａが基板２０に面する側に設けられている。２０は基板で、印刷可能シート１０の接着される側の一面に電子受容性顕色剤入り感圧インク層２０ａが設けられている。
さらに、基板２０の裏側（保護カバーシート側）に記録層２２があり、この部分に保護カバーシート３０が接着されている。
光ディスクは、これらの印刷可能シート１０と基板２０と保護カバーシート３０とを重ねて貼り付けて構成されている。
【００１６】
マイクロカプセルに含まれる電子供与性無色染料（ロイコ系染料）溶液としては、例えばトリアリルメタン系化合物、ジフェニルメタン系化合物、フルオラン系化合物、スピロ系化合物、等のものが挙げられる。
また、電子受容性顕色剤としては、例えば、酸性白土、活性白土、アタバルジャイト、ゼオライト、ベントナイト、カオリンの如き粘土物質、芳香族カルボン酸の金属塩およびフェノール樹脂、等が挙げられる。これらをスチレンブタジエンラテックスの如きバインダーと共に塗布して用いる。
【００１７】
電子供与性無色染料溶液入り感圧インク層１０ａや電子受容性顕色剤入り感圧インク層２０ａは、それぞれ単体で用いてこの層に圧力を加えても記録することはできない（したがって、この層に圧力を加えても汚れることがない。）が、電子受容性顕色剤入り感圧インク層２０ａ上に電子供与性無色染料溶液入り感圧インク層１０ａを重ねて、感圧インク層１０ａの上から圧力を加えると、初めてマイクロカプセルが破壊されて電子供与性無色染料溶液と電子受容性顕色剤が化学反応を起こし、黒に発色するようになる。
【００１８】
図２は本発明に係る光ディスクの印刷可能シート１０の感圧インク層１０ａと基板２０の感圧インク層２０ａとの位置関係を示す縦断面図で、（ａ）は貼り付け前、（ｂ）は貼り付け後、（ｃ）は押圧書き込み時をそれぞれ示している。
図（ａ）において、印刷可能シート１０の一部に設けられた前述のマイクロカプセル入り感圧インク層１０ａを下側（基板２０側）にして、基板２０の一面に設けられた電子受容性顕色剤入り感圧インク層２０ａの上に重ねる。感圧インク層２０ａは基板２０の一面（全面）に設けており、これによって貼り合わせのとき、印刷可能シート１０の一部に設けられたマイクロカプセル入り感圧インク層１０ａをこれに正確に位置合わせする必要がないようにしてある。
【００１９】
図（ｂ）はこのようにして貼り合わされた状態を示している。
マイクロカプセル入り感圧インク層１０ａと電子受容性顕色剤入り感圧インク層２０ａとが重なっているのが判る。この状態で光ディスクは使用される。
【００２０】
そこで光ディスクの記録後は、図（ｃ）のように、感圧インク層１０ａの裏側から圧力Ｆを加えると、圧力Ｆの加えられた部分のマイクロカプセルが破壊されて電子供与性無色染料溶液と電子受容性顕色剤が化学反応を起こし、黒（Ｋ）に発色するようになる。
したがってこれによって記録をすることができ、またこの発色部分Ｋは後で消すことができないのが特徴である。
【００２１】
図３は本発明に係る画像印刷層の前記第二反応性感圧インクの塗られた特定部分の追記例で、（ａ）は画像印刷層の特定部分に記録内容の追記例、（ｂ）は記録済容量の追記例を示している。
（ａ）において、（１）は最初の記録２０枚の内容である運動会を追記し、（２）は次の記録内容であるクリスマスを追記し、（３）で次の記録内容である初詣を追記している。これらの内容は逐次追記されるのみで、消去できないところが特徴である。
（ｂ）は特定部分に記録済容量の追記をし易いように予めフォーマットを印刷した例である。記憶容量０ＧＢから全記憶容量５ＧＢの最大値までの目盛を印刷しておき、記録の度にハッチングで示すように塗りつぶしていくようにしている。
ここでも記録済容量は逐次追記されるのみで、消去できないところが本発明の特徴である。
また、（ａ）と（ｂ）はそれぞれ単独で用いられてもよいが、２つを組み合わせてももちろんよい。
【００２２】
以上は、Ｂｌｕ−Ｒａｙディスクを例に説明してきたが、本発明はこれに限定されるものではなく、他の記録ディスク（ＣＤ、ＤＶＤ）にも同じように適用すれば、記録内容および記録済容量をユーザーが記入する際に特別な筆記具を必要とせず、また一旦記入された情報は後で消去することができない高セキュリティのディスクが得られることとなる。
【００２３】
【発明の効果】
以上のように、本発明によれば、大容量情報記録用ディスクにおいて、特にＢｌｕ−Ｒａｙディスクのような短波長紫外線記録を行うもので、大口径ＡＲ特性を必要とするため、記録面側に極薄層透明カバー層を設け、基板の物理特性のバランスを取るために反対側に同様な物理特性のバランス層を設けた情報記録（画像、音楽などの情報も含む）ディスクにおいて、バランス層には記録内容を示す画像印刷層を設けるものであって、基板の画像印刷層側に第一反応性感圧インクを、そしてこの画像印刷層の基板側に押圧下で第一反応性感圧インクと反応して印刷可能となる第二反応性感圧インクを設けたので、記録内容および記録済容量をユーザーが記入する際に特別な筆記具を必要とせず、また一旦記入された情報は後で消去することができない高セキュリティのディスクが得られることとなる。
【図面の簡単な説明】
【図１】本発明に係る光ディスクの分解斜視図である。
【図２】本発明に係る光ディスクの印刷可能シートの感圧インク層と基板の感圧インク層との位置関係を示す縦断面図で、（ａ）は貼り付け前、（ｂ）は貼り付け後、（ｃ）は押圧書き込み時をそれぞれ示している。
【図３】本発明に係る画像印刷層の前記第二反応性感圧インクの塗られた特定部分の追記例で、（ａ）は画像印刷層の特定部分に記録内容の追記例、（ｂ）は記録済容量の追記例を示している。
【図４】Ｂｌｕ−Ｒａｙディスクの構造を説明する図で、（ａ）は平面図、（ｂ）は正面断面図である。
【符号の説明】
１０  印刷可能シート
１０ａ  電子供与性無色染料溶液内包のマイクロカプセル入り感圧インク層
２０  基板
２０ａ  電子受容性顕色剤入り感圧インク層
２２  記録層
３０  保護カバーシート
【図１】
2004227715.tif 000003
【図２】
2004227715.tif 000004
【図３】
2004227715.tif 000005
【図４】
2004227715.tif 000006